(57)【要約】      （修正有）【課題】暗い室内で携帯端末機を充電する場合、より容易で便利に充電できる携帯端末機の使用方法と使用装置を提供する。【解決手段】方法は、バッテリレベルを確認し、周辺照度を確認するステップと、前記バッテリレベル及び周辺照度の確認結果によって予め設定された端子に対応する発光部を駆動させるステップとを含む。使用装置は、携帯端末機の動作電源を提供するバッテリと、上記携帯端末機の周辺照度を確認する照度センサと、上記バッテリレベル及び周辺照度を確認して、上記バッテリレベル及び周辺照度の確認結果によって、予め設定された端子に対応する発光部が駆動されるように制御する制御部とを含む。【選択図】図２
2013223249.tif 000002
【特許請求の範囲】
【請求項１】
携帯端末機の使用方法であって、
バッテリレベルを確認し、周辺照度を確認するステップと、
前記バッテリレベル及び周辺照度の確認結果によって、予め設定された端子に対応する発光部を駆動させるステップと、を含むことを特徴とする携帯端末機の使用方法。
【請求項２】
前記駆動ステップは、
前記バッテリレベルが予め設定されたレベル以下であり、前記周辺照度のレベルが予め設定されたレベル以下であることが確認されると、予め設定された第１の端子に対応する発光部を駆動させるステップを含むことを特徴とする請求項１に記載の携帯端末機の使用方法。
【請求項３】
前記第１の端子は、携帯端末機のバッテリ充電に利用される充電端子であることを特徴とする請求項２に記載の携帯端末機の使用方法。
【請求項４】
前記バッテリの充電が確認されると、前記発光部の駆動を中止するステップをさらに含むことを特徴とする請求項３に記載の携帯端末機の使用方法。
【請求項５】
前記駆動ステップは、
前記バッテリレベルが予め設定されたレベル以上であり、前記周辺照度のレベルが予め設定されたレベル以下であることが確認されると、予め設定された第２の端子に対応する発光部を駆動させるステップを含むことを特徴とする請求項１に記載の携帯端末機の使用方法。
【請求項６】
前記第２の端子は、外部音響出力装置を挿入して利用することができるイヤホン連結端子であることを特徴とする請求項５に記載の携帯端末機の使用方法。
【請求項７】
前記外部音響出力装置の挿入が確認されると、前記発光部の駆動を中止するステップをさらに含むことを特徴とする請求項６に記載の携帯端末機の使用方法。
【請求項８】
携帯端末機の使用装置であって、
携帯端末機の動作電源を提供するバッテリと、
前記携帯端末機の周辺照度を確認する照度センサと、
前記バッテリレベル及び周辺照度を確認し、前記バッテリレベル及び周辺照度の確認結果によって予め設定された端子に対応する発光部が駆動されるように制御する制御部とを含むことを特徴とする携帯端末機の使用装置。
【請求項９】
前記制御部は、
前記バッテリレベルが予め設定されたレベル以下であり、前記周辺照度のレベルが予め設定されたレベル以下であることが確認されると、予め設定された第１の端子に対応する発光部が駆動されるように制御することを特徴とする請求項８に記載の携帯端末機の使用装置。
【請求項１０】
前記第１の端子は、前記携帯端末機のバッテリ充電に利用される充電端子であることを特徴とする請求項９に記載の携帯端末機の使用装置。
【請求項１１】
前記制御部は、
前記バッテリの充電が確認されると、前記発光部の駆動が中止されるように制御することを特徴とする請求項１０に記載の携帯端末機の使用装置。
【請求項１２】
前記制御部は、
前記バッテリレベルが予め設定されたレベル以上であり、前記周辺照度のレベルが予め設定されたレベル以下であることが確認されると、予め設定された第２の端子に対応する発光部が駆動されるように制御することを特徴とする請求項８に記載の携帯端末機の使用装置。
【請求項１３】
前記第２の端子は、外部音響出力装置を挿入して利用することができるイヤホン連結端子であることを特徴とする請求項１２に記載の携帯端末機の使用装置。
【請求項１４】
前記制御部は、
前記外部音響出力装置の挿入が確認されると、前記発光部の駆動が中止されるように制御することを特徴とする請求項１３に記載の携帯端末機の使用装置。
【発明の詳細な説明】
【技術分野】
【０００１】
本発明は、携帯端末機に係り、特に、バッテリの充電と関連した携帯端末機の使用方法及び装置に関する。
【背景技術】
【０００２】
ギャラクシータブ  （Ｇａｌａｘｙ  Ｔａｂ）のようなタブレット（Ｔａｂｌｅｔ）とギャラクシーシリーズ（Ｇａｌａｘｙ  Ｓｅｒｉｅｓ）のようなスマートホォン（Ｓｍａｒｔ  Ｐｈｏｎｅ）で提供される機能が多様化し、且つ便利になり、これら携帯端末機の使用はますます普及している。  
【０００３】
ところが、携帯端末機で提供される機能が多様化されるということはユーザの携帯端末機使用時間が増えることを意味し、これは、携帯端末機のバッテリが急速に消耗することも意味する。
【０００４】
即ち、現在、一般に利用される多機能の携帯端末機は、既存の単純な通話機能だけを提供する携帯電話（ｃｅｌｌ＿ｐｈｏｎｅ）を使用する時より、頻繁なバッテリの充電を必要とする。
【０００５】
一般的に、携帯端末機は、便宜上、充電ケーブルを携帯端末機本体の充電端子に挿入して充電されるが、充電端子が小さいため、周辺が暗い室内では充電端子の正確な位置を確認して充電ケーブルを挿入することは容易ではない。
【０００６】
従って、周辺が暗い室内で携帯端末機を充電する場合、より容易で便利に充電できる携帯端末機の使用方法と装置を提供する必要がある。
【先行技術文献】
【特許文献】
【０００７】
韓国特許公開２００７−００１６２０２号公報
韓国特許登録１０−０５３２５９７号公報
【発明の概要】
【発明が解決しようとする課題】
【０００８】
従って、本発明は、暗い室内で携帯端末機を充電する場合、より容易で便利に充電できる携帯端末機の使用方法と装置を提供する。
【課題を解決するための手段】
【０００９】
従って、本発明は、携帯端末機の使用方法において、バッテリレベルを確認して、周辺照度を確認するステップと、上記バッテリレベル及び周辺照度の確認結果によって、予め設定された端子に対応する発光部を駆動させるステップとを含む。
【００１０】
また、本発明は、携帯端末機の使用装置において、携帯端末機の動作電源を提供するバッテリと、上記携帯端末機の周辺照度を確認する照度センサと、上記バッテリレベル及び周辺照度を確認して、上記バッテリレベル及び周辺照度の確認結果によって、予め設定された端子に対応する発光部が駆動されるように制御する制御部とを含む。
【発明の効果】
【００１１】
本発明によれば、バッテリレベル及び周辺照度の確認結果によって、予め設定された端子に対応する発光部を駆動させるので、暗い室内で携帯端末機を充電する場合、より容易で便利に充電できる効果がある。
【図面の簡単な説明】
【００１２】
【図１】本発明の実施形態による携帯端末機のブロック図である。
【図２】本発明の実施形態による携帯端末機の使用ステップに対するフローチャートである。
【図３】本発明の実施形態による携帯端末機の使用ステップに対する例示図である。
【発明を実施するための形態】
【００１３】
以下、図面を参照して本発明の実施形態に対して説明する。
図１は、本発明の実施形態による携帯端末機のブロック図である。本発明の実施形態による携帯端末機は、携帯移動が容易な電子機器であって、画像電話機、通話単機能電話機（ｓｉｍｐｌｅ  ｃａｌｌｉｎｇ  ｆｅａｔｕｒｅ  ｐｈｏｎｅ）、スマートフォン（Ｓｍａｒｔ  Ｐｈｏｎｅ）、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＷＣＤＭＡ（登録商標）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、Ｅ−Ｂｏｏｋ端末機、携帯用コンピュータ（Ｎｏｔｅｂｏｏｋ、Ｔａｂｌｅｔ等）、又は、デジタルカメラ（Ｄｉｇｉｔａｌ  Ｃａｍｅｒａ）を含み、多数のアイテムをスクロール表示できる電子機器であると仮定する。
【００１４】
図１を参照して本発明の実施形態による携帯端末機をみると次の通りである。
【００１５】
無線送受信部２３は、ＲＦ部とモデム（ＭＯＤＥＭ）を含む。ＲＦ部は、送信される信号の周波数を上昇変換及び増幅するＲＦ送信機と、受信される信号を低雑音増幅して周波数を下降変換するＲＦ受信機などを含む。モデムは、送信される信号を符号化及び変調する送信機とＲＦ部で受信される信号を復調及び復号化する受信機などを含む。
【００１６】
マルチメディア処理部２５は、コーデック（Ｃｏｄｅｃ）を構成し、上記コーデックはデータコーデックとオーディオ及びビデオコーデックとを含む。データコーデックは、パケットデータなどを処理し、オーディオコーデック及びビデオコーデックは、各々、音声のオーディオ信号又はマルチメディアファイルなどのビデオ信号を処理する。マルチメディア処理部２５は、モデムで受信されるデジタルオーディオ信号を、上記オーディオコーデックを通し、アナログ信号に変換して再生するか、又は、マイクから発生されるアナログオーディオ信号を上記オーディオコーデックを通し、デジタルオーディオ信号に変換してモデムに移送する機能を遂行する。前述したコーデックは別途に備えられるか、又は、制御部１０に含まれ、制御部１０がマルチメディア処理部２５の機能を遂行する場合もある。
【００１７】
キー入力部２７は、数字及び文字情報の入力に必要なキー及び各種機能等の設定に必要な機能キー（又はタッチパッド）を含む。表示部５０が静電式又は減圧式などのタッチ表示画面方式で具現される場合、キー入力部２７は、予め設定された最小限のキーだけを含み、表示部５０は、キー入力部２７のキー入力機能を一部代替できる。
【００１８】
メモリ３０は、プログラムメモリ及びデータメモリで構成され、プログラムメモリには、携帯端末機の一般的な動作を制御するためのプログラムが貯蔵される。メモリ３０は、ＣＦ（Ｃｏｍｐａｃｔ  Ｆｌａｓｈ、コンパクトフラッシュ（登録商標））、ＳＤ（Ｓｅｃｕｒｅ  Ｄｉｇｉｔａｌ、セキュアデジタル）、Ｍｉｃｒｏ−ＳＤ（Ｍｉｃｒｏ  Ｓｅｃｕｒｅ  Ｄｉｇｉｔａｌ、マイクロＳＤ）、Ｍｉｎｉ−ＳＤ（Ｍｉｎｉ  Ｓｅｃｕｒｅ  Ｄｉｇｉｔａｌ、ミニＳＤ）、ｘＤ（Ｅｘｔｒｅｍｅ  Ｄｉｇｉｔａｌ）及びＭｅｍｏｒｙ  Ｓｔｉｃｋ（メモリスティック）などの外付け形メモリをさらに含み得る。また、メモリ３０は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｉｓｋ）などのようなディスクを含み得る。
【００１９】
バッテリ４０は、携帯端末機の動作に必要な電源を供給し、制御部１０は、供給された電源を携帯端末機の各構成要素で必要とするレベルに調整して提供することによって、携帯端末機の駆動を制御する。制御部１０は、バッテリの管理ユニット（図示せず）を介して、バッテリ４０のレベル（即ち、バッテリの残余容量）、バッテリ４０の温度などに対する情報を受け取る。
【００２０】
表示部５０は、ＬＣＤ（Ｌｉｑｕｉｄ  Ｃｒｙｓｔａｌ  Ｄｉｓｐｌａｙ、液晶表示）又はＯＬＥＤ（Ｏｒｇａｎｉｃ  Ｌｉｇｈｔ  Ｅｍｉｔｔｉｎｇ  Ｄｉｏｄｅｓ、有機発光ダイオード（ＰＭＯＬＥＤ（パッシブモードＯＬＥＤ）又はＡＭＯＬＥＤ（アクティブモードＯＬＥＤ））等で形成され、携帯端末機で発生する各種表示情報を出力する。表示部５０は、静電式（又は静電容量方式）又は減圧式方式などのタッチスクリーン（Ｔｏｕｃｈ  Ｓｃｒｅｅｎ）を含み、キー入力部２７と共に携帯端末機を制御する入力部として動作する。
【００２１】
本発明の実施形態による表示部５０は、バッテリ４０のレベル（バッテリの残余容量）を表示するが、そのために、例えば、インジケータバー（Ｉｎｄｉｃａｔｏｒ  Ｂａｒ）がアイコン又はパーセントの形態で表示される。
【００２２】
照度センサ６０は、携帯端末機周辺の光の量を測定する装置である。一般的に、照度センサ６０は、携帯端末機周辺の光の量（照明度）によって表示部５０の明度を適応的に制御することに利用される。一方、本発明の実施形態による照度センサ６０は、バッテリ４０のレベル（例えば、バッテリの電圧レベル又はバッテリの残余容量）が予め設定されたレベル以下であるか以上であるかを確認した後、予め設定された端子に対応する発光部を駆動する際に利用される。
【００２３】
発光部７０は、本発明の実施形態で予め設定された条件が満たされる場合、発光される発光装置であり、例えばＬＥＤ（Ｌｉｇｈｔ  Ｅｍｉｔｔｉｎｇ  Ｄｉｏｄｅ）なるが、これに限定されず、発光部７０は、ユーザが光の発光を認識することができる様々な装置を用いて多様に具現できる。
【００２４】
制御部１０は、本発明の実施形態による携帯端末機の全般的な動作を制御し、キー入力部２７又は表示部５０等を介して入力されるユーザ入力によって、携帯端末機の動作を切り替え及び制御する。本発明の実施形態による制御部１０は、バッテリレベルを確認し、周辺照度を確認し、上記バッテリレベル及び周辺照度の確認結果によって、予め設定された端子に対応する発光部が駆動されるように制御する。本発明の実施形態による制御部１０の詳細な動作については後述する。
【００２５】
一方、図１のブロック図には、ブルートゥース、カメラモジュール、ＷｉＦｉモジュール、加速度センサ、近接センサ、地磁気センサ及びＤＭＢ（Ｄｉｇｉｔａｌ  Ｍｅｄｉａ  Ｂｒｏａｄｃａｓｔｉｎｇ）受信機のように携帯端末機に含まれ得る装置が明示されていないが、これらの装置も本発明の実施形態による携帯端末機に含まれて該当機能を提供できることは当業者にとって自明であろう。
【００２６】
例えば、バッテリレベルが予め設定されたレベル以下に降下し、携帯端末機の作動可能な時間があまり残っていない場合、例えば、ブルートゥース、カメラモジュール、ＷｉＦｉモジュール、加速度センサ、近接センサ、地磁界センサ及びＤＭＢ（Ｄｉｇｉｔａｌ  Ｍｅｄｉａ  Ｂｒｏａｄｃａｓｔｉｎｇ）受信機の駆動と関連したバックグラウンドアプリケーションは自動終了される。
【００２７】
図２は、本発明の実施形態による携帯端末機の使用ステップに対するフローチャートであり、図３は、本発明の実施形態による携帯端末機の使用ステップに対する例示図である。これら図面を参照して本発明の実施形態に対して説明する。
【００２８】
ステップＳ２０１乃至Ｓ２０２で、制御部１０は、バッテリレベルを確認した後、照度センサ６０を利用して携帯端末機周辺の周辺照度を確認するように制御する。
【００２９】
制御部１０は、バッテリの管理ユニット（図示せず）から受信されるバッテリに関する情報（例えば、バッテリの充電レベル又はバッテリの温度等）を受信して、照度センサを介して携帯端末機の周辺照度（又は周辺照度のレベル）を確認する。
【００３０】
ステップＳ２０３乃至Ｓ２０５で、制御部１０は、確認されたバッテリレベルが予め設定されたレベル以下であり、周辺照度が予め設定されたレベル以下であることが確認されると、予め設定された第１の端子に対応する発光部が駆動されるように制御する。
【００３１】
制御部１０は、以前のステップを通し確認されたバッテリレベルが、予め設定されたレベル（例えば、携帯端末機を１０分程度駆動できる程度のバッテリレベル）以下であることが確認され、周辺照度が、ユーザが暗く感じる程度のレベル（例えば、５０（ｌｕｘ（ｌｘ））以下の照度レベル）であることが確認されると、予め設定された第１の端子に対応する発光部が駆動されるように制御する。
【００３２】
本発明の実施形態では、第１の端子は、充電ケーブルの挿入を介してバッテリを充電できる充電端子であると仮定するが、バッテリレベルが予め設定されたレベル以下である場合、ユーザがバッテリの充電を試行する確率は高くなる。しかしながら、バッテリの充電を暗い室内のように光量の足りない所で実施しようとすると、充電ケーブルを挿入する充電端子の正確な位置を把握することは容易ではない。
【００３３】
従って、本発明は、バッテリレベルが予め設定されたレベル以下であることが確認（即ち、バッテリの充電が必要な状態）され、周辺照度も予め設定されたレベル以下であることが確認（即ち、充電端子の正確な位置確認が難しい状態）されれば、充電端子に対応する発光部の駆動を介してユーザが充電端子の位置識別を容易にする機能を提供する。
【００３４】
図３を参照して説明すれば、バッテリレベル及び周辺照度の確認を通し、暗い状態で且つ充電が必要な状態であることが確認されると、制御部１０は、符号３１０で示されているように充電端子（第１の端子）に対応する発光部（例えば、ＬＥＤ）を駆動させ、ＬＥＤを通し発散される光の照明下で、ユーザは充電端子の位置を正確に確認して充電ケーブルを挿入できる。
【００３５】
この時、本発明の実施形態による制御部１０は、充電端子（第１の端子）に充電ケーブルが挿入されれば（バッテリへの電源供給が感知されると）発光部の駆動を中止する。
【００３６】
一方、前述した周辺照度の予め設定されたレベルは、実施変形により変更できるが、ＡＮＳＩの基準によって設定されることが望ましい。例えば、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）では、０．０１（ｌｕｘ）の周辺照度は、三日月の明度に対応し、１（ｌｕｘ）の周辺照度は、満月の明度に対応し、３．４（ｌｕｘ）の周辺照度は暗い黄昏の明度に対応し、５０（ｌｕｘ）の周辺照度は室内の明度に対応し、８０（ｌｕｘ）の周辺照度は、廊下又は浴室兼手洗の明度に対応すると説明している。従って、前述した周辺照度の予め設定されたレベルは、５０（ｌｕｘ）以下の値になることが望ましい。
【００３７】
ステップＳ２０６乃至Ｓ２０７で、制御部１０は、確認されたバッテリレベルが予め設定されたレベル以上であり、周辺照度が予め設定されたレベル以下であることが確認されると、予め設定された第２の端子に対応する発光部が駆動されるように制御する。
【００３８】
ステップＳ２０３乃至Ｓ２０５を参照して説明した本発明の実施形態では、バッテリレベルが低く、周辺が暗い場合、充電端子に対応する（充電端子周辺の）発光部７０を駆動することによって、バッテリ充電を容易にする。
【００３９】
ステップＳ２０６乃至Ｓ２０７を参照して説明した本発明の実施形態は、バッテリレベルが予め設定されたレベル以上（正確には超過）であって、バッテリの残余量が充分である場合に実施され、周辺照度が予め設定されたレベル以下であって、周辺が暗い場合、特定の端子（例えば、第２の端子）へのケーブル挿入が容易になるように発光部（例えば、ＬＥＤ）を発光させる実施形態に該当する。
【００４０】
周辺照度が暗いとしても、特定の端子（例えば、第２の端子）に対応する発光部を持続的に駆動すると、バッテリの電力消耗が増加するようになり、これは携帯端末機の使用に不便をもたらすようになる。しかしながら、ステップＳ２０６乃至Ｓ２０７を通した本発明の実施形態は、確認されたバッテリレベルが予め設定されたレベル以上である場合（バッテリの残余バッテリ量が充分である場合）には、発光部の駆動によるバッテリの電力消耗を心配する必要が無い。
【００４１】
図３を通し説明すれば、バッテリ４０の残余量が充分であり、周辺が暗い場合（即ち、暗い状況でも充電が必要でない場合）には、本発明の実施形態による制御部１０は、符号３２０で示されるように、予め設定された第２の端子（例えば、イヤホン連結端子）に対応する発光部７０が駆動されるように制御する。これを通じて、ユーザはイヤホンのような外部音響出力装置を第２の端子に容易に挿入できる。
【００４２】
一方、本発明の実施形態では、第２の端子は、イヤホンのような外部音響出力装置を挿入して利用するイヤホン連結端子であると仮定したが、これは実施形態により変形可能である。また、本発明の実施形態による制御部１０は、イヤホン連結端子（第２の端子）へのイヤホン挿入が感知されると発光部の駆動を中止するる。
【００４３】
以上、説明した本発明の実施形態は、暗い室内で携帯端末機を充電する場合、より容易且つ便利に充電できる利点を提供する。
【００４４】
本発明の一実施形態による上述の方法は、ハードウェア、ファームウェア、若しくは、ソフトウェア又はコンピュータコードとして具現される。
該ソフトウェア又はコンピュータコードは、ＣＤ  ＲＯＭ、ＲＡＭ、フロッピー（登録商標）ディスク、ハードディスク、又は光磁気ディスクなどの記録媒体に格納されるか、又は、リモート記録媒体又は非一時的な（ｎｏｎ−ｔｒａｎｓｉｔｏｒｙ）機械可読媒体上に元来記憶され、ネットワークを介してダウンロードされてローカル記録媒体上に記憶される。これにより、ここで説明した方法は、一般的な用途のコンピュータ、又は特定のプロセッサ、又はプログラム可能な又はＡＳＩＣ又はＦＰＧＡのような特定のハードウェアを用いて記録媒体上に格納するソフトウェアにより実行できる。
【００４５】
コンピュータ、プロセッサ、マイクロプロセッサ制御部又はプログラム可能なハードウェアは、コンピュータ、プロセッサ、又はハードウェアによりアクセスされ実行される際に、ここで説明した処理方法を実行するソフトウェア又はコンピュータコードを格納するか又は受信するメモリ構成要素、例えば、ＲＡＭ、ＲＯＭ、フラッシュなどを含む。
【００４６】
また、一般的な用途のコンピュータがここで説明した処理を実行するためのコードにアクセスする時に、コードの実行は、一般的な用途のコンピュータをここで説明した処理を実行するための特定用途のコンピュータに委託できる。
【００４７】
以上、本発明の詳細な説明においては具体的な実施形態に関して説明したが、特許請求の範囲を外れない限り、様々な変更が可能であることは、当該技術分野における通常の知識を持つ者には明らかであろう。従って、本発明の範囲は、前述の実施形態に限定されず、特許請求の範囲の記載及びこれと均等なものに基づいて定められるべきである。
【００４８】
１０    制御部
２３    無線送受信部
２５    マルチメディア処理部
２７    キー入力部
３０    メモリ
４０    バッテリ
５０    表示部
６０    照度センサ
【図１】
2013223249.tif 000003
【図２】
2013223249.tif 000004
【図３】
2013223249.tif 000005